(57)【特許請求の範囲】
【請求項１】
椅子の使用場所に移動可能に配置される脚（１）と、
前記脚に固定支持された背（２）と、
略水平な使用位置と前上がりに跳ね上がった跳ね上げ位置との間で揺動可能に前記脚に支持された座（３）と、
前記座を前記跳ね上げ位置へ向けて常時付勢する座跳ね上げ手段（４）と、
を具え、
前記脚（１）のフレーム構造は、前記背および前記座の左右方向両側にそれぞれ、前傾した後部フレーム（１ａ）と、後傾した前部およびその前部の下端部に前端部が連なる略水平な下部を持つ前部フレーム（１ｂ）と、を有し、
前記前部フレーム（１ｂ）は、前記後部フレーム（１ａ）の左右方向内側に配置されてその後部フレームに結合されており、
前記座跳ね上げ手段（４）は、前記座（３）の揺動軸線と同一軸線上で前記脚に配置された渦巻きバネ（９）を有して前記後部フレーム（１ａ）の左右方向内側に配置されていることを特徴とする可搬式椅子。
【請求項２】
前記背（２）の左右方向両側の前記後部フレーム（１ａ）は、前記背を介して互いに結合されていることを特徴とする、請求項１記載の可搬式椅子。
【発明の詳細な説明】
【技術分野】
【０００１】
この発明は、劇場やホールや体育館等の通常は椅子がないスペースに移動可能に配置される可搬式椅子に関し、特には横方向への通行が容易な可搬式椅子に関するものである。
【背景技術】
【０００２】
劇場やホール等では、既設の椅子の前後方や側方等の空きスペースに可搬式椅子を人手や台車等によって移動可能に配置して通常よりも多くの観客の観覧を可能にする場合があり、また体育館等では、通常は椅子がない運動スペースに可搬式椅子を人手や台車等によって移動可能に配置して着席しての式典等を行う場合がある。
【０００３】
このような場合に用いられる可搬式椅子としては従来、例えば特許文献１記載のスタッキング椅子が知られている。このスタッキング椅子は、パイプフレームからなる移動可能な脚を、前方および側方から見て上窄まりに形成するとともに上方から見て後窄まりに形成し、さらに座を跳ね上げ可能に脚に支持するとともに背を前倒し可能に脚に支持することで、複数の椅子の前後方向および上下方向のスタッキングを可能としたものである。
【特許文献１】特開２００２−２５３３７９号公報
【発明の開示】
【発明が解決しようとする課題】
【０００４】
しかしながら、かかる従来の可搬式椅子について本願発明者が研究を進めたところ、この従来の可搬式椅子では、座が跳ね上げ可能に脚に支持されているものの通常は略水平な使用位置に下りているため、椅子が横方向に多数並べられている場合にその座が横方向への通行の妨げとなって、一々座を跳ね上げなければ十分な幅の通路を確保できず、通行に手間が掛かるという不都合があることが判明した。そしてこのことは、特に緊急時で避難が一刻を争うような場合に、避難する人々の混乱を招く原因になる可能性があるため重大であった。
【課題を解決するための手段】
【０００５】
この発明は、上記課題を有利に解決することを目的とするものであり、この発明の可搬式椅子は、椅子の使用場所に移動可能に配置される脚と、前記脚に固定支持された背と、略水平な使用位置と前上がりの跳ね上げ位置との間で揺動可能に前記脚に支持された座と、前記座を前記跳ね上げ位置へ向けて常時付勢する座跳ね上げ手段と、を具えてなるものである。
【発明の効果】
【０００６】
かかる可搬式椅子にあっては、当該椅子が人手や台車等によって使用場所に搬入されて脚が移動可能にその使用場所に配置され、その脚が揺動可能に支持した座が着座者によって座跳ね上げ手段の付勢力に抗して略水平な使用位置に下ろされると、その使用位置の座と、脚が固定支持した背とが着座者を支持する。また、着座者が立ち上がって離座すると、座が座跳ね上げ手段の付勢力によって自動的に前上がりの跳ね上げ位置へ揺動して、着座者が下ろさない限りその跳ね上げ位置に維持される。そして当該椅子が不要になると、その使用場所から人手や台車等によって搬出される。
【０００７】
従って、この発明の可搬式椅子によれば、着座者がいない場合や立ち上がっている場合は座が常に前上がりの跳ね上げ位置にあることから、椅子が横方向に多数並べられている場合でも座が横方向への通行の妨げとならないため、一々座を跳ね上げなくても十分な幅の通路を確保することができるので、横方向への通行を、手間を掛けずに容易に行うことができる。そしてこのことは、特に緊急時で避難が一刻を争うような場合に迅速な避難を可能にし得て、避難する人々の混乱の発生を回避可能とすることができる。
【０００８】
さらに、この発明の可搬式椅子においては、前記脚は、前部が後傾したフレーム構造を有する。
【０００９】
この構成によれば、脚のフレーム構造の前部が後傾して上部が後退していることから、椅子が横方向に多数並べられている場合でも脚のフレーム構造の前部の上部が横方向への通行の妨げとならないため、横方向への通行をより容易に行うことができる。
【００１０】
具体的には、この発明の可搬式椅子においては、前記脚のフレーム構造は、前記背および前記座の左右方向両側にそれぞれ、前傾した後部フレームと、後傾した前部およびその前部の下端部に前端部が連なる略水平な下部を持つ前部フレームと、を有し、前記前部フレームは、前記後部フレームの左右方向内側に配置されてその後部フレームに結合されている。
【００１１】
この構成によれば、何れも座が跳ね上げ位置へ跳ね上がった状態で、当該椅子の脚の後部フレームの後ろ側からもう一つの当該椅子の脚の前部フレームを挿入することで、複数の当該椅子を前後方向へスタッキングしてコンパクトに纏めることができるので、当該椅子の収納および搬送の効率を高めることができる。
【００１２】
なお、この発明の可搬式椅子においては、前記背の左右方向両側の前記後部フレームは、前記背を介して互いに結合されていても良い。
【００１３】
このようにすれば、背の左右方向両側の後部フレーム同士を結合する部材を別途に設ける必要がないため脚が軽量化するので、人手や台車等による当該椅子の搬送を容易にすることができる。
【００１４】
そして、この発明の可搬式椅子においては、前記座跳ね上げ手段は、前記座の揺動軸線と同一軸線上で前記脚に配置された渦巻きバネを有している。
【００１５】
この構成によれば、座跳ね上げ手段の渦巻きバネが、座の揺動軸線と同一軸線上で脚に配置されていることから、座が跳ね上げ位置へ跳ね上がった状態でも座跳ね上げ手段が脚の前後方向や内側に突出することがないので、横方向への通行や前後方向スタッキングをより容易に行うことができる。
【図面の簡単な説明】
【００１６】
【図１】（ａ）〜（ｅ）は、この発明の可搬式椅子の一実施例をそれぞれ示す正面図、側面図、背面図、平面図および底面図である。
【図２】（ａ）〜（ｃ）は、上記実施例の可搬式椅子を示す斜視図、座が跳ね上がった状態の側面図および前後方向スタッキング状態の側面図である。
【図３】上記実施例の可搬式椅子の構造を示す分解斜視図である。
【発明を実施するための形態】
【００１７】
以下に、この発明の実施の形態を実施例によって、図面に基づき詳細に説明する。ここに、図１（ａ）〜（ｅ）は、この発明の可搬式椅子の一実施例をそれぞれ示す正面図、側面図、背面図、平面図および底面図、また図２（ａ）〜（ｃ）は、上記実施例の可搬式椅子を示す斜視図、座が跳ね上がった状態の側面図および前後方向スタッキング状態の側面図、そして図３は、上記実施例の可搬式椅子の構造を示す分解斜視図である。
【００１８】
この実施例の可搬式椅子は図示のように、当該椅子の使用場所に移動可能にすなわち固定されずに配置される脚１と、その脚１に固定支持された背２と、図１（ｂ）に示す略水平な使用位置と図２（ｂ）に示す前上がりの跳ね上げ位置との間で揺動可能に脚１に支持された座３と、その座３を上記跳ね上げ位置へ向けて常時付勢する、座跳ね上げ手段としての座跳ね上げ機構４とを具えている。
【００１９】
ここで、脚１は、前部が後傾したパイプフレーム構造を有しており、このパイプフレーム構造は、背２および座３の左右方向両側にそれぞれ、前傾した後部フレーム１ａと、弓形に後傾した前部および略水平な下部を持つ前部フレーム１ｂとを有しており、左右の前部フレーム１ｂは図１に示すように、左右の後部フレーム１ａの内側にそれらの後部フレーム１ａと略平行に配置されて、後傾した前部および略水平な下部のそれぞれの後端部を後部フレーム１ａに溶接結合されている。また左右の前部フレーム１ｂには、座３の左右方向へ水平に配置された連結パイプ１ｃの両端部が溶接結合されており、この連結パイプ１ｃは左右の前部フレーム１ｂを互いに結合すると同時に、後述の如くして座３を上記略水平な使用位置に支持する役割を果たす。
【００２０】
さらに左右の前部フレーム１ｂの、後傾した前部の後部から、その前部の後端部が結合された後部フレーム１ａの上部にかけては、弓形の座受け板１ｄが溶接固定されており、この座受け板１ｄには、図３に示すように、軸受け孔１ｅと、カバー取り付け孔１ｆと、背取り付け孔１ｇとが形成されているのに加えて、軸受け孔１ｅの近くに掛止ピン１ｈが突設されている。また、左右の前部フレーム１ｂの略水平な下部の前部と、左右の後部フレーム１ａの下端部とにはそれぞれ、弾性材料製の滑り止め部材１ｉが固設されている。
【００２１】
さらに左右の後部フレーム１ａの上端部にはそれぞれ、断面Ｌ字状の肘ブラケット１ｊが前後方向へ略水平に延在するように溶接固定されており、この肘ブラケット１ｊにはその略水平部分の前端部に肘取り付け孔１ｋが形成され、またその垂直部分の後端部に背取り付け孔１ｌが形成されている。そしてこの肘ブラケット１ｊは、肘当てとしての肘木５の下面に形成された溝内に収容されて、その肘取り付け孔１ｋに挿通したネジ６で肘木５を後部フレーム１ａの上端部にネジ固定しており、また肘木５の外側の側部に形成されたネジ孔から背取り付け孔１ｌに挿通されたボルト７を、肘木５の内側の側部に形成されたネジ孔から内向きに突出させる。
【００２２】
背２は、下部が平坦で中間部から上部にかけては上から視て弓形に後方に凹んだ背板２ａと、その背板２ａの前面に取り付けられた背クッション２ｂと、背板２ａの前面の左右方向両側部の下部にネジ６で固定された２個の断面Ｌ字状の背ブラケット２ｃとを有しており、各背ブラケット２ｃの上端部と下端部とには、ナット８が内側に溶接固定されたボルト孔２ｄ，２ｅがそれぞれ形成されている。
【００２３】
これにより脚１の、背２の左右方向両側の後部フレーム１ａは、肘ブラケット１ｊの背取り付け孔１ｌに挿通されたボルト７が背ブラケット２ｃの上端部のボルト孔２ｄを介してその内側のナット８に締着され、また座受け板１ｄの背取り付け孔１ｇに挿通されたボルト７が背ブラケット２ｃの下端部のボルト孔２ｅを介してその内側のナット８に締着されることで、背２の背板２ａを介して互いに結合されている。
【００２４】
座３は、座板３ａと、その座板３ａの上面に取り付けられた座クッション３ｂと、底板３ａの下面の左右方向両側部の後部寄り部分にネジ固定されて支持軸３ｃを外向きに水平に突出させた２個の断面Ｌ字状の座ブラケット３ｄと、底板３ａの下面の前後方向中間部に互いに左右方向へ間隔を空けてネジ６で固定された当接音発生防止のための弾性材料製の２個のストッパ部材３ｅとを有しており、ここでは支持軸３ｃが座クッション３ｂ内を貫通していないので、通常の可搬式椅子のものより厚い座クッション３ｂが用いられている。
【００２５】
座３の２本の支持軸３ｃは、脚１の左右の座受け板１ｄの軸受け孔１ｅ内にそれぞれ回動自在に挿通されて座受け板１ｄの外側に突出し、これにより座３は、上記略水平な使用位置と上記前上がりの跳ね上げ位置との間で揺動可能に脚１に支持されており、ここにおける座跳ね上げ機構４は、それらの支持軸３ｃの軸線と一致する座３の揺動軸線と同一軸線上に位置するように脚１の２本の支持軸３ｃ上にそれぞれ配置された２個の渦巻きバネ９（図３では片側のみ示す）を有している。
【００２６】
ここで、それらの支持軸３ｃには先端から軸線方向へ延在する切込みが形成されており、渦巻きバネ９の中心側端部はその切込みに差し込まれて支持軸３ｃに固定され、その一方で渦巻きバネ９の外周側端部は、その渦巻きバネ９に座３を上記跳ね上げ位置まで跳ね上げ回動させることができる適度のねじり弾性力が与えられた状態で、座受け板１ｄに突設された掛止ピン１ｈに掛止されている。
【００２７】
そして、各支持軸３ｃには渦巻きバネ９の内側に磨耗防止および擦れ音発生防止のための樹脂製のワッシャ１０が配置され、また渦巻きバネ９の内側に外れ止めのためのＥリング１１が嵌着されており、さらに、座受け板１ｄの外側にはそれら渦巻きバネ９とワッシャ１０とＥリング１１とを覆うように円形の膨出部が形成された例えば樹脂製のカバー１２が配置され、そのカバー１２は座受け板１ｄのカバー取り付け孔１ｆに挿通されたネジ６によって脚１に固定されている。
【００２８】
この実施例の可搬式椅子にあっては、当該椅子が人手や台車等によって使用場所に搬入されて脚１が移動可能にその使用場所に配置され、その脚１が揺動可能に支持した座３が着座者によって渦巻きバネ９の付勢力に抗して略水平な使用位置に下ろされると、その使用位置の座３と、脚１が固定支持した背２とが着座者を支持する。また、着座者が立ち上がって離座すると、座３が渦巻きバネ９の付勢力によって自動的に跳ね上げ位置へ揺動して、着座者が下ろさない限りその跳ね上げ位置に維持される。そして当該椅子が不要になると、その使用場所から人手や台車等によって搬出される。
【００２９】
従って、この実施例の可搬式椅子によれば、着座者がいない場合や立ち上がっている場合は座３が常に前上がりの跳ね上げ位置にあることから、椅子が横方向に多数並べられている場合でも座３が横方向への通行の妨げとならないため一々座３を跳ね上げなくても十分な幅の通路を確保することができるので、横方向への通行を、手間を掛けずに容易に行うことができる。そしてこのことは、特に緊急時で避難が一刻を争うような場合に迅速な避難を可能にし得て、避難する人々の混乱の発生を回避可能とすることができる。
【００３０】
さらにこの実施例の可搬式椅子によれば、脚１は、前部が後傾したフレーム構造を有することで、そのフレーム構造の前部が後傾して上部が後退していることから、椅子が横方向に多数並べられている場合でも脚１のフレーム構造の前部の上部が横方向への通行の妨げとならないため、横方向への通行をより容易に行うことができる。なお、この実施例のフレーム構造の前部すなわち左右の前部フレーム１ｂは、図では下端部で垂直に対し約３０度後傾して立ち上がり、上方に行くにつれて次第に角度が増加して、上端部では垂直に対し約６０度後傾となっている。
【００３１】
また、この実施例の可搬式椅子によれば、脚１のフレーム構造は、背２および座３の左右方向両側にそれぞれ、前傾した後部フレーム１ａと、後傾した前部および略水平な下部を持つ前部フレーム１ｂとを有し、前部フレーム１ｂは後部フレーム１ａの左右方向内側に配置されてその後部フレーム１ａに結合されていることから、図２（ｃ）に示すように、何れの椅子も座３が跳ね上げ位置へ跳ね上がった状態で、当該椅子の脚１の後部フレーム１ａの後ろ側からもう一つの当該椅子の脚１の前部フレーム１ｂを挿入することで、複数の当該椅子を前後方向へスタッキングしてコンパクトに纏めることができるので、当該椅子の収納および搬送の効率を高めることができる。
【００３２】
さらに、この実施例の可搬式椅子によれば、背２の左右方向両側の後部フレーム１ａは、背２の背板２ａを介して互いに結合されていることから、背２の左右方向両側の後部フレーム１ａ同士を結合する部材を別途に設ける必要がないため脚１が軽量化するので、人手や台車等による当該椅子の搬送を容易にすることができる。
【００３３】
そして、この実施例の可搬式椅子によれば、座跳ね上げ機構４が有する渦巻きバネ９が、座３の揺動軸線と同一軸線上で脚１に配置されていることから、座３が跳ね上げ位置へ跳ね上がった状態でも座跳ね上げ機構４が脚１の前後方向や内側に突出することがないので、横方向への通行や前後方向スタッキングをより容易に行うことができる。
【００３４】
以上、図示例に基づき説明したが、この発明の可搬式椅子は上述の例に限定されるものでなく、特許請求の範囲の記載の範囲内で適宜変更し得るものであり、例えば座跳ね上げ機構４の渦巻きバネ９は、座３の左右両側でなく何れか片側だけに設けても良い。また、肘木５を省略し、後部フレーム１ａの上端部を後方へ曲げて背２に結合しても良い。
【００３５】
さらに、脚１のフレーム構造はパイプフレーム構造に限られず、アングル材やチャンネル材等の板材を用いたものでも良く、また脚１の下端部にはキャスターが設けられていても良い。そして、座跳ね上げ機構４は渦巻きバネ９を用いたものに限られず、座３をガスストラット等で跳ね上げるものでも良い。また脚１のフレーム構造の前部は、全体として垂直に対し約３０〜６０度の範囲内で後傾していれば、脚の剛性を確保しつつ、フレーム構造の前部の上部が横方向への通行の妨げとなるのを回避することができる。
【産業上の利用可能性】
【００３６】
かくしてこの発明の可搬式椅子によれば、着座者がいない場合や立ち上がっている場合は座が常に前上がりの跳ね上げ位置にあることから、椅子が横方向に多数並べられている場合でも座が横方向への通行の妨げとならないため、一々座を跳ね上げなくても十分な幅の通路を確保することができるので、横方向への通行を、手間を掛けずに容易に行うことができる。そしてこのことは、特に緊急時で避難が一刻を争うような場合に迅速な避難を可能にし得て、避難する人々の混乱の発生を回避可能とすることができる。
【符号の説明】
【００３７】
１  脚
１ａ  後部フレーム
１ｂ  前部フレーム
１ｃ  連結パイプ
１ｄ  座受け板
１ｅ  軸受け孔
１ｆ  カバー取り付け孔
１ｇ  背取り付け孔
１ｈ  掛止ピン
１ｉ  滑り止め部材
１ｊ  肘ブラケット
１ｋ  肘取り付け孔
１ｌ  背取り付け孔
２  背
２ａ  背板
２ｂ  背クッション
２ｃ  背ブラケット
２ｄ  ボルト孔
２ｅ  ボルト孔
３  座
３ａ  座板
３ｂ  座クッション
３ｃ  支持軸
３ｄ  座ブラケット
３ｅ  ストッパ部材
４  座跳ね上げ機構
５  肘木
６  ネジ
７  ボルト
８  ナット
９  渦巻きバネ
１０  ワッシャ
１１  Ｅリング
１２  カバー
【図１】
0005432218.tif 000002
【図２】
0005432218.tif 000003
【図３】
0005432218.tif 000004